(57)【要約】【課題】  この発明は、防水扉の回動により、起立初期に防水扉シール側端部を防水扉自由端側へ移動させて収納凹部との干渉を防止でき、起立終期に防水扉シール側端部をシール材側へ移動させ得る防水扉のヒンジ装置を提供する。【解決手段】  固定ベース１０にシール側端部３ｂを軸支した揺動ベース１１の中間部に第１リンク３４の下端部を軸支し、揺動ベース１１の自由端部に第２リンク３５の下端部を軸支し、防水扉シール側端部３ｂに固着した取付部材１３に第１、第２リンク３４，３５の上端部を回動自在に連結する。防水扉３の起立初期には第１、第２リンク３４，３５の揺動により防水扉シール側端部３ｂが防水扉自由端側へ移動し、第１当接部３４ａが第２当接部１１ｂに当接すると、防水扉３が枢軸１２を中心として起立し防水扉シール側端部３ｂがシール材６，８に向けて移動する。【選択図】  図３
2005180131.tif 000002
【特許請求の範囲】
【請求項１】
防水扉の収納凹部のシール側端部に固定ベースを固着し、固定ベースに揺動ベースのシール側端部を扉起倒方向に揺動可能に軸支し、揺動ベースの中間部に第１リンクの下端部を回動自在に連結し、揺動ベースの自由端部に第２リンクの下端部を回動自在に連結し、防水扉のシール側端部に取付部材を固着し、取付部材に前記第１、第２リンクの上端部を回動自在に連結し、第１リンクの中間部に第１当接部を設け、揺動ベースの中間部に第１リンクが下側へ所定量揺動されたときに第１当接部が当接する第２当接部を設け、防水扉を水平位置から起立位置へ回動させると、起立初期に第１リンクと第２リンクの差動回動により防水扉のシール側端部を防水扉自由端側へ移動させ、起立終期に第１リンクの第１当接部が揺動ベースの第２当接部に当接して第１リンクと第２リンクとを一体に上向きに回動させて防水扉シール側端部をシール材側へ移動させるようにした防水扉のヒンジ装置。
【請求項２】
第１リンクをＬ字形に形成して第１リンクの両端部間に凹部を設け、防水扉が起立したとき防水扉を構成するリブを凹部に受入れ可能にした請求項１記載の防水扉のヒンジ装置。
【請求項３】
可動ベースを相対向する一対の可動アームで構成し、一対の可動アームの間に第１リンクと第２リンクの下端部を入れて連結し、水平位置の一対の可動アームの下側を第２当接部でつなぎ、第１リンクの第１当接部が一対の可動アームの間に入り込んで第２当接部に当接するようにした請求項１または２記載の防水扉のヒンジ装置。
【発明の詳細な説明】
【技術分野】
【０００１】
この発明は、主に建物や駐車場等の出入口からの浸水を防止する防水扉のヒンジ装置に関し、特に、起立時に防水扉を、そのシール側端部が扉枠から離れるように後退させつつ、扉枠に向けて回動させるヒンジ装置に関する。
【背景技術】
【０００２】
上記ヒンジ装置として、特許文献１〜特許文献３のものが提案されている。特許文献１では、ケースの前部に立設した固定ヒンジと防水扉に取り付けた可動ヒンジとをリンクで連結し、可動ヒンジに設けたローラを固定ヒンジに形成したフック状のガイド孔で案内することで、起立初期に防水扉シール側端部を防水扉自由端側へ移動させ、起立終期に防水扉シール側端部をシール材側へ自由移動できるようにしている。特許文献２では、固定側プレートの頂部のガイドピンを防水扉シール側端部の可動側プレートの屈曲ガイド溝孔に挿入し、固定側プレートの下部と可動側プレートの上部とをリンクで連結してある。防水扉の起立時には、ガイドピンが屈曲ガイド溝孔に案内されつつ枢動され、起立初期に防水扉シール側端部を防水扉自由端側へ移動させ、起立終期に防水扉シール側端部をシール材側へ移動させるようにしている。特許文献３では、リンクプレートの第１部位をピットに枢支し第２部位を防水扉に枢支し、防水扉またはリンクプレートの何れか一方に係合部を形成し他方に被係合部を形成し、リンクプレートの回転を規制する固定機構を備えたヒンジが開示されている。防水扉は、水平位置から所定角度起立するまではリンクプレートの回転を固定手段で規制し第２部位を中心として回転し、所定角度の傾斜状態から起立位置までは係合部と被係合部との係合により第２部位を中心とした回転が規制され第１部位を中心とて回転し固定機構による規制も解除されて起立位置となる。
【特許文献１】特開平１０−２３８２３９号公報
【特許文献２】特開平６−２５７３４３号公報
【特許文献３】特開２００１−２５４５６３号公報
【特許文献４】特開平１１−１２５０５４号公報
【発明の開示】
【発明が解決しようとする課題】
【０００３】
特許文献１、２のものは、防水扉は水害等がない限りケースの上部開口を閉塞する状態のまま長時間放置されるので、床面と防水扉との隙間からケース内に侵入した砂、埃等が前記ガイド孔に入り込みやすく、ローラがガイド孔に円滑に案内されず、結果として防水扉の揺動運動が円滑に行なわれないおそれがある。また、特許文献１では、起立終期にガイド孔の略水平方向に伸びる上側の部分にローラが位置するため、ローラとガイド孔とは前後方向に相対移動可能な状態であり、防水扉シール側端部をシール材側へヒンジ装置で強制移動できないので、防水扉シール側端部とシール材の圧着力が小さく、水密性能が低い。特許文献２でも、特許文献１と同様に、起立終期に屈曲ガイド溝孔の略水平方向に伸びる下側の部分にガイドピンが位置するので、防水扉シール側端部をシール材側へヒンジ装置で強制移動できないのでシール性が低い。特許文献３では、防水扉は、所定角度起立してから起立位置までは第１部位を中心として回転するのでシール材に向けて移動し密着するが、防水扉が水平位置から所定角度起立するまでは第２部位を中心として回転するのみであり防水扉シール側端部が防水扉自由端側に移動することはないので、防水扉シール側端部とピットの干渉を考慮しなければならない。更に、リンクプレートの回転を規制する固定機構を備えているため、ヒンジを複雑な構造にしている。尚、特許文献４のものは防水扉のものではない。
この発明は、防水扉の回動によって、起立初期に防水扉シール側端部を防水扉自由端側へ移動させて収納凹部との干渉を防止すると共に起立終期に防水扉シール側端部をシール材側へ略水平に移動させて防水扉シール側端部をシール材に確実に圧着してシール性を高いものとし、また、ケース内に侵入する砂、埃等の影響が小さく円滑動作を期待できる防水扉のヒンジ装置を提供することを目的とする。
【課題を解決するための手段】
【０００４】
本願発明は、防水扉の収納凹部のシール側端部に固定ベースを固着し、固定ベースに揺動ベースのシール側端部を扉起倒方向に揺動可能に軸支し、揺動ベースの中間部に第１リンクの下端部を回動自在に連結し、揺動ベースの自由端部に第２リンクの下端部を回動自在に連結し、防水扉のシール側端部に取付部材を固着し、取付部材に前記第１、第２リンクの上端部を回動自在に連結し、第１リンクの中間部に第１当接部を設け、揺動ベースの中間部に第１リンクが下側へ所定量揺動されたときに第１当接部が当接する第２当接部を設け、防水扉を水平位置から起立位置へ回動させると、起立初期に第１リンクと第２リンクの差動回動により防水扉のシール側端部を防水扉自由端側へ移動させ、起立終期に第１リンクの第１当接部が揺動ベースの第２当接部に当接して第１リンクと第２リンクとを一体に上向きに回動させて防水扉シール側端部をシール材側へ移動させるようにした。
【０００５】
前記第１リンクをＬ字形に形成して第１リンクの両端部間に凹部を設け、防水扉が起立したとき防水扉を構成するリブを凹部に受入れ可能にした。
【０００６】
また、前記可動ベースを相対向する一対の可動アームで構成し、一対の可動アームの間に第１リンクと第２リンクの下端部を入れて連結し、水平位置の一対の可動アームの下側を第２当接部でつなぎ、第１リンクの第１当接部が一対の可動アームの間に入り込んで第２当接部に当接するようにした。
【発明の効果】
【０００７】
本願の請求項１の発明では、防水扉の収納凹部のシール側端部に固定ベースを固着し、固定ベースに揺動ベースのシール側端部を扉起倒方向に揺動可能に軸支し、揺動ベースの中間部に第１リンクの下端部を回動自在に連結し、揺動ベースの自由端部に第２リンクの下端部を回動自在に連結し、防水扉のシール側端部に取付部材を固着し、取付部材に前記第１、第２リンクの上端部を回動自在に連結し、第１リンクの中間部に第１当接部を設け、可動ベースの中間部に第１リンクが下側へ所定量揺動されたときに第１当接部が当接する第２当接部を設け、防水扉を水平位置から起立位置へ回動させると、起立初期に第１リンクと第２リンクの差動回動により防水扉シール側端部を防水扉自由端部側へ移動させ、起立終期に第１リンクの第１当接部が揺動ベースの第２当接部に当接して第１リンクと第２リンクとを一体に上向きに回動させて防水扉シール側端部をシール材側へ移動させるようにしたので、防水扉の収納状態における防水扉シール側端部と収納凹部壁との隙間を小さくでき、通行の安全と美観を確保できる。また、起立初期に防水扉シール側端部を防水扉自由端側へ移動させるので、収納凹部との干渉及びシールの損傷を防止できると共に、起立終期には防水扉の回動により防水扉シール側端部をシール材側へ略水平に回動でき、防水扉の全体をシール材に確実に圧着させてシール性を高くできる。また、長いガイド孔でローラを案内する構造に比して、砂や埃の影響を小さくできる。
また、請求項２の発明では、第１リンクをＬ字形に形成して第１リンクの両端部間に凹部を設け、防水扉が起立したとき防水扉を構成するリブを凹部に受入れ可能にしたので、リブを有する強固な防水扉に容易に実施できる。
また、請求項３の発明では、可動ベースを相対向する一対の可動アームで構成し、一対の可動アームの間に第１リンクと第２リンクの下端部を入れて連結し、水平位置の一対の可動アームの下側を第２当接部でつなぎ、第１リンクの第１当接部が一対の可動アームの間に入り込んで第２当接部に当接するようにしたので、構成を簡易にかつ強固にできる。
【実施例】
【０００８】
本願発明の実施例について図１〜図７に基づいて説明する。防水扉装置１は建物や駐車場等の出入口の通路部の床面（下面）Ｆに埋設された収納凹部体２に防水扉３を配設し、その防水扉３を図３に示す収納凹部体２の開口を閉塞する水平位置（傾倒位置）と図６に示す出入口を閉塞する起立位置とに後述の起倒装置３１により起倒可能となっている。前記収納凹部体２は上方を開口した箱型形状であって、出入口の床面Ｆに形成された長方形状の収納凹部４に設置されている。収納凹部４に沿って縁材５が取り付けられ、縁材５の下面を収納凹部体２の上端面２ａに当接させてある。収納凹部体２の前板２ｂ側にはシール材（パッキン部材）６を備えた扉枠７が左、右に一対立設されている。また、収納凹部体２の前板２ｂには水平方向のシール材（パッキン部材）８が取り付けてあり、そのシール材８の両端を、扉枠７の垂直方向のシール材６下端側と連続させてある。尚、シール材６は、シール材６と対応する防水扉３のシール側端部（基端部）３ｂ側両端部分に形成された切り欠き部を通過し、水平位置にある防水扉３と干渉しないようになっている。
【０００９】
また、防水扉３が水平位置に位置する時、防水扉３の自由端部（先端部）３ａが当接する断面Ｌ字状の支持部材１５が、収納凹部体２の後板２ｃ側で、幅方向左右の側板２ｅから後述の操作軸１７の左右近傍に立設した支柱４７の間に架設されている。また、後壁２ｃには支持部材１５と対峙して支持部材３２が幅方向に並設されており、支持部材１５と支持部材３２との間には複数枚（本願実施例では３枚）の点検用の蓋部材９が床面Ｆと面一となるように開閉可能に備えてある。この収納凹部体２には図示しない配管が連結され、その配管を通って収納凹部体２内に侵入してきた水を排水するようにしてある。また、縁材５は収納凹部体２の各側板の一部を構成するもので、各側板（前板２ｂ等）を収納凹部４の上端まで延ばして縁材５を省略しても良い。
【００１０】
次に、ヒンジ装置３３について説明する。収納凹部体２の底板２ｄには、前板２ｂ側の左、右に夫々前板２ｂから後板２ｃに沿う方向（前後方向）の固定ベース１０が固定的に設置されている。その固定ベース１０のシール側端部には、相対向する一対の可動アーム１１ａの前後方向の中間部下側を第２当接部１１ｂでつないだ揺動ベース１１が、そのシール側端部を防水扉幅方向の防水扉枢軸１２により防水扉３の起倒方向に揺動可能に枢着してある。この揺動ベース１１の第２当接部１１ｂの下面は、図３に示すように防水扉３が水平位置にあるとき、固定ベース１０の上面に当接している。また、揺動ベース１１の中間部（枢軸１２と自由端部との間）には、Ｌ字形状の第１リンク３４の下端部を可動アーム１１ａの間に入れた状態で第１下枢軸１４ｂにより回動自在に連結してある。また、揺動ベース１１の自由端部には、第１リンク３４より長い第２リンク３５の下端部を可動アーム１１ａ間に入れた状態で第２下枢軸３６ｂにより回動自在に連結してある。尚、一対の可動アーム１１ａと第２当接１１ｂとを一体に形成して揺動ベース１１としても良い。
【００１１】
防水扉３は収納凹部体２の開口部分を塞ぐように形成されたものであって、平板状の防水板３ｃの下面に曲がり防止用の複数本のＬ字断面のリブ３ｄ、３ｅを縦横に夫々所定間隔で固着してあると共に、ヒンジ装置３３と後述の起倒装置３１とに対応する下面に取付部材１３等を取付ける扉縦方向に伸びるコ字状のチャンネル材３ｆを固着して構成してある。そのチャンネル材３ｆの防水扉シール側端部３ｂ側には前記固定ベース１０に対峙するように取付部材１３が固着されている。この取付部材１３の扉縦方向の前部分には第１リンク３４の上端が第１上枢軸１４ａにより枢着されており、取付部材１３の扉縦方向の後部分には第２リンク３５の上端が第２リンク３５と一体の第２上枢軸３６ａにより枢着されている。この枢着されたＬ字形の第１リンク３４は、その上端と下端の間の凹部４９に、防水扉３を起立したとき防水扉シール側端部３ｂのリブ３ｅを受入れ可能なように、凹部４９が防水扉シール側端部３ｂ側に向くように配置してある。また、第１リンク３４の中間部の下側には第１当接部３４ａが形成されており、第１リンク３４が下側（図３において右向き）へ所定量揺動されたときに、第１当接部３４ａは一対の可動アーム１１ａの間に入りこんで前記揺動ベース１１の第２当接部１１ｂに当接するようになっている。
【００１２】
よって、防水扉３は、水平位置から起立位置へ回動されると、第1リンク３４は第１下枢軸１４ｂを中心として下向きに回動すると共に第２リンク３５は第２下枢軸３６ｂを中心として上向き（図３において右向き）に回動し、第１リンク３４と第２リンク３５の回動の差動によって第１当接部３４ａが第２当接部１１ｂに当接するまでの起立初期では、防水扉シール側端部３ｂが前板２ｂの防水扉シール側端部側壁面に対して前後方向で遠ざかる方向（後方）に移動すると共に防水扉自由端部３ａが起倒方向上向きに揺動するようになっている。更に、第１リンク３４の第１当接部３４ａが第２当接部１１ｂに当接してから起立位置まで起立するまでの起立終期では、第１当接部３４ａが第２当接部１１ｂに当接した状態で第１リンク３４と第２リンク３５とが揺動ベース１１と一体に枢軸１２を中心に起倒方向上向き（図５において左向き）に回動して起立するようになっており、起立位置では防水扉３の上面がシール材６，８に押圧されるようになっている。また、防水扉３の下方（傾倒方向）への揺動は、前記支持材１５によって規制されており、支持材１５は、防水扉３が水平位置に位置し、防水扉３の自由端部３ａが当接した時に、防水扉３の上面を床面Ｆと面一とする。
【００１３】
次に、起倒装置３１について説明する。１６は収納凹部体２に配置された駆動モータであり、駆動モータ１６にはギヤユニット１８が連結されている。ギヤユニット１８は、図示しないラチェット機構を備た手動ハンドルを着脱可能な操作軸１７が設けられている。また、ギヤユニット１８の左右には、夫々カップリング部材１９を介して枢軸１２と同方向の駆動軸２０の一端が連結されている。この駆動軸２０はギヤユニット１８を介して駆動モータ１６、または、手動ハンドルにより手動操作することで回動可能となっている。
【００１４】
左右の各駆動軸２０の他端部は、底板２ｄの後板２ｃ側の左右に夫々設置されたブラケット２１に支持される。また、駆動軸２０の他端部には、各一対の支持アーム２２の基部２２ｂが間隔をあけて駆動軸２０を中心にして相対回動可能に取り付けてある。この各２本の支持アーム２２の先端部２２ａは防水扉シール側端部３ｂ側に向き中間軸２３によって連結されている。中間軸２３には、支持アーム２２間に中間軸２３を中心にして回動アーム２４の基部２４ｂが相対回動可能に取り付けられている。その回動アーム２４の先端部２４ａは防水扉３の自由端部３ａに向くように設けられ、先端部２４ａにはガイドローラ３７が転動可能に軸部材３８により支持されている。
【００１５】
また、回動アーム２４には中間軸２３を中心とする第１チェーンホイール２８が固着されている。駆動軸２０には、支持アーム２２間の部分に第２チェーンホイール２９が固着されている。この第１チェーンホイール２８と第２チェーンホイール２９には無端チェーン３０が懸回されて、前記駆動モータ１６等と回動アーム２４を回動する駆動装置３９を構成している。
【００１６】
前記回動アーム先端部２４ａのガイドローラ３７は、チャンネル材３ｆの防水扉自由端側に設けたガイド部材２５と相対移動可能であると共に分離、連結可能となっている。ガイド部材２５は、その下面をガイドローラ３７が転動するガイド面２６とすると共に防水扉シール側端部３ｂ側にガイド面２６と連続して係合溝２７が形成されている。係合溝２７は、ガイドローラ３７が嵌まり込める円弧面に形成されている。このガイドローラ３７とガイド部材２５とは、支持アーム２２と回動アーム２４が折り曲げられ防水扉３が傾倒状態となって水平位置にあるとき、ガイドローラ３７上にガイド部材２５が分離可能に当接した状態、または、ガイドローラ３７とガイド部材２５とが離れた状態となるようになっている。このため、防水扉３が水平位置にあるとき起倒装置３１と独立して防水扉３を手で持ち上げることができ、何らかの原因で起倒装置３１が故障した場合に修理、点検を容易に行えるようになっている。
【００１７】
また、駆動軸２０の駆動により第２チェーンホイール２９が回動され、無端チェーン３０、第１チェーンホイール２８を介して回動アーム２４が中間軸２３を中心に回動すると、回動アーム先端部２４ａのガイドローラ３７は、ガイド面２６を相対移動しながら起倒方向上向きに防水扉３を揺動させ、防水扉３を所定量起立させた後には、ガイドローラ３７と係合溝２７とが互いに係合して、回動アーム２４と防水扉３とが連結されることになる。更に、回動アーム２４が回動すると回動アーム２４と防水扉３との連結が維持されたままの状態で防水扉３が起立しガイド部材２５の起倒方向上向きの移動に伴い回動アーム２４が上昇し、回動アーム２４が取り付けられた支持アーム先端部２２ａが駆動軸２０を中心に上方に向けて揺動されることになる。本実施例では、回動アーム２４が支持アーム２２に対して略直線状となるように回動したときに、防水扉３が略垂直に起立するように回動アーム２４と支持アーム２２の長さが設定されている。収納凹部体２の底板２ｄにはストッパ４０が配置されおり、ストッパ４０は、防水扉３が傾倒状態から所定量起立するまでの間、２本の支持アーム２２の下面と当接して支持アーム２２を支える。
【００１８】
４１は、連結係止手段であり、第２上枢軸３６ａに一体に設けられた回動部材４３に連結部材４６の一端を回動可能に連結し、連結部材４６の他端に連結係止ピン４２の一端を回動可能に連結してあり、連結係止ピン４２をチャンネル材３ｆに取付けた連結係止ピン支持部材４４によりガイド面２６と平行に支持してあり、連結係止ピン４２の他端が軸部材３８に向けて扉縦方向に進退可能に構成してある。連結係止ピン４２は、防水扉３の起倒回動により第２リンク３５と一体に回動部材４３が回動すると、連結部材４６を介して水平位置（図２）において、軸部材３８と係合せずガイド部材２５と回動アーム２４が分離できるロック解除位置Ｒ２から、防水扉自由端側に向けて移動して起立状態（図６）では、係合溝２７に係合した軸部材３８と係合し回動アーム２４とガイド部材２５の連結状態を維持するロック位置Ｒ１との間を進退する。尚、駆動装置３９をモータ１６と第１、第２チェーンホイール２８，２９とチェーン３０とから構成したが、シリンダを用いて回動アーム２４を揺動しても良い。
【００１９】
次に、上記のように構成した防水扉装置１の動作について説明する。防水扉装置１は、通常は図１〜図３に示す水平位置にあり、防水扉３の上面と床面Ｆとは面一となっている。このとき防水扉シール側端部３ｂの端面が前板２ｂ側の縁材５に近づいて配置されており、防水扉３は収納凹部体の開口を殆ど隙間なく塞いでいる。よって通行の安全と美観を確保できる。大雨によって建物や駐車場等の出入口に浸水が生じる恐れがある水害予想時には、起倒装置３１により防水扉３が起立回転される。
【００２０】
水平位置から防水扉３が図４に示す所定角度起立するまでの起立初期では、先ず、支持アーム２２がストッパ４０に当接した状態で、駆動装置３９により回動アーム２４が起倒方向上向きに回転され、ガイドローラ３７がガイド面２６を相対移動しながら防水扉３を起立し、ガイドローラ３７が係合溝２７に係合する。このとき図４に示すように、ヒンジ装置の第１リンク３４は、第１下枢軸１４ｂを中心として下向き（図４において右向き）に回転し、第２リンク３５は第２下枢軸３６ｂを中心として上向き（図４において右向き）に回転する。第２リンク３５と一体に回動部材４３が回転し、連結係止ピン４２がロック解除位置Ｒ２からロック位置Ｒ１方向へ向け移動する。更に回動アーム２４が回転し防水扉３を起立すると回動アーム２４全体が引き上げられ支持アーム２２の先端２２ａが駆動軸２０を中心に上方に回転する。
【００２１】
第１、第２リンク３４，３５は前記と同方向に回転し、図４の状態から更に所定量回転すると図５に示すように第１当接部３４ａが第２当接部１１ｂに当接し、夫々第１下枢軸１４ｂと第２下枢軸３６ｂを中心とした回転が規制される。第２リンク３５の回転が規制されることで、連結係止ピン４２は軸部材３８の背部に当接してガイド部材２５との間で係合溝２７とガイドローラ３７との連結位置をロックするロック位置Ｒ１で停止し係合溝２７とガイドローラ３７の相対移動を防止する。この間、第１、第２リンク３４，３５の回転中心（第１下枢軸１４ｂと第２下枢軸３６ｂ）は揺動ベース１１の中間部及び自由端部にあるので、揺動ベース１１に防水扉３の重量が下向きに作用し、第２当接部１１ｂと固定ベース１０との当接状態が維持され、揺動ベース１１の枢軸１２回りの回転が規制される。この間では、第１リンク３４の回転が第２リンク３５の回転より大きく、第１リンク３４と第２リンク３５の回転の差動によって、防水扉３のシール側端部３ｂは前板２ｂに対して前後方向に遠ざかりながら下向きに揺動する。このため、防水扉シール側端部３ｂと収納凹部４の縁材５の前板２ｂ側との干渉を防止できる。また、防水扉３の回動により防水扉シール側端部３ｂのリブ３ｅが第１リンク３４の凹部４９に受入れられ、第１当接部３４ａと第２当接部１１ｂとはリブ３ｅと第１リンク３４とが干渉しない位置で当接する。
【００２２】
更に、第１当接部３４ａと第２当接部１１ｂとが当接した状態から防水扉３が起立位置まで起立される起立終期では、防水扉３の荷重及び防水扉３の起立により第１リンク３４及び第２リンク３５に夫々を回転しようとする力が作用しているが、第１リンク３４の下方向への回転が第１当接部３４ａと第２当接部１１ｂの当接によって規制されており、第１上枢軸１４ａと第２上枢軸３６ａの距離は一定なので第２リンク３５も回転が規制されることになり、防水扉３は揺動ベース１１を介して枢軸１２を中心にして回転することとなり、防水扉シール側端部３ｂが前記とは逆に前板２ｂに対して前後方向に近づいていき、回動アーム２４が支持アーム２２に対して略直線状となると、図６に示すように起立位置で防水扉３がシール材６，８に圧接して停止する。
【００２３】
この起立終期において防水扉シール側端部３ｂの移動軌跡は枢軸１２を中心とする円弧を描くが、移動距離が短いため略直線に近似した軌跡として考えることができ、防水扉シール側端部３ｂがシール材６，８に向けて略水平に移動して略垂直に圧接するのでシール材６，８に確実に圧着させてシール効果を良くできると共にシール材６，８の損傷を防止できる。このとき図７に示すように、防水扉シール側端部３ｂ側のリブ３ｅは第１リンク３４と干渉することなく凹部４９に受入れられた状態が維持されている。また、傾倒時は前記と反対に動作する。このように、ヒンジ装置３３を第１、第２リンク３４，３５と揺動ベース１１の複数の軸回りの回転構造としたため、長いガイド孔とそれに案内されるローラを用いた滑動構造に比して、収容凹部体２内に侵入する砂、埃等が詰まるおそれが小さく、円滑な揺動動作が期待できる。
【００２４】
尚、前記において前板２ｂから後板２ｃに沿う方向の固定ベース１０の上面に揺動ベース１１の第２当接部１１ｂ下面を当接しているが、固定ベース１０を揺動ベース１１のシール側端部を枢着可能な部分を残した長さとして、揺動ベース１１の第２当接部１１ｂの下面を収納凹部体２の底板２ｄ上面に当接するようにしても良い。これによれば、ヒンジ装置３３の高さを低くすることができるので、収納凹部４の深さを浅くすることができる。また、前記では第２リンク３５を第１リンク３４より長いとしたが、揺動ベース１１の自由端部を上方に屈曲し、その上方に伸ばした自由端部と取付部材１３とを第１リンク３４の長さ以下の第２リンクにより連結しても良い。
【図面の簡単な説明】
【００２５】
【図１】本発明の防水扉装置の平面図である。
【図２】ヒンジ装置と起倒装置の配置を示す平面図である。
【図３】防水扉を水平位置とした防水扉装置の側面図である。
【図４】起立初期においてガイドローラと係合溝との連結を示す側面図である。
【図５】第１リンクの第１当接部と揺動ベースの第２当接部との当接を示す側面図である。
【図６】防水扉を起立位置とした防水扉装置の側面図である。
【図７】図６でのヒンジ装置の拡大図である。
【符号の説明】
【００２６】
１  防水扉装置
３  防水扉
３ａ  防水扉自由端部
３ｂ  防水扉シール側端部
３ｅ  リブ
４  収納凹部
６，８  シール材
１０  固定ベース
１１  揺動ベース
１１ａ  可動アーム
１１ｂ  第２当接部
１３  取付部材
３３  ヒンジ装置
３４  第１リンク
３４ａ  第１当接部
３５  第２リンク
４９  凹部
【図１】
2005180131.tif 000003
【図２】
2005180131.tif 000004
【図３】
2005180131.tif 000005
【図４】
2005180131.tif 000006
【図５】
2005180131.tif 000007
【図６】
2005180131.tif 000008
【図７】
2005180131.tif 000009